(57)【要約】      （修正有）【課題】風路を異なる開閉状態に変化させることで、複数の使用機能を達成する多機能加湿電気ヒータを提供する。【解決手段】多機能加湿電気ヒータは、ハウジング１００と加熱装置４００を含む。ハウジングは第１送風経路２１０を取り囲み、第１送風経路は吸風口と連通し、風動装置３００が第１送風経路内に装着される。また、第２送風経路２２０と第３送風経路２３０を更に含む。第２送風経路と第３送風経路は、一端がいずれも第１送風経路と連通し、他端がそれぞれ第１排風口１３０及び第２排風口１４０と連通する。第２排風口内には加湿装置６００が装着される。第１、第２及び第３送風経路の交差箇所には、第２送風経路と第３送風経路のいずれか一方をブロックして他方の通風を維持するか、双方が共に通風するよう維持する風路調節装置５００が装着される。【選択図】図１
0003225005.tif 000002
【実用新案登録請求の範囲】
【請求項１】
ハウジング（１００）と加熱装置（４００）を含み、ハウジング（１００）が第１送風経路（２１０）を取り囲んでおり、第１送風経路（２１０）が吸風口（１５０）と連通し、風動装置（３００）が前記第１送風経路（２１０）内に装着される多機能加湿電気ヒータであって、
更に、第２送風経路（２２０）と第３送風経路（２３０）を含み、前記第２送風経路（２２０）と第３送風経路（２３０）は、一端がいずれも前記第１送風経路（２１０）と連通するとともに、他端がそれぞれ第１排風口（１３０）及び第２排風口（１４０）と連通し、
前記第２排風口（１４０）内には加湿装置（６００）が装着されており、
前記第１送風経路（２１０）、第２送風経路（２２０）及び第３送風経路（２３０）の交差箇所には、前記第２送風経路（２２０）と第３送風経路（２３０）のいずれか一方をブロックして他方の通風を維持するか、双方が共に通風するよう維持する風路調節装置（５００）が装着されていることを特徴とする多機能加湿電気ヒータ。
【請求項２】
前記風路調節装置（５００）は揺動羽根（５１０）を含み、揺動羽根（５１０）は回転軸を介して前記交差箇所にヒンジ接続されることを特徴とする請求項１に記載の多機能加湿電気ヒータ。
【請求項３】
前記揺動羽根（５１０）の回転軸は、前記第２送風経路（２２０）と第３送風経路（２３０）の交差箇所に設けられることを特徴とする請求項２に記載の多機能加湿電気ヒータ。
【請求項４】
前記交差箇所において、前記第１送風経路（２１０）と第３送風経路（２３０）の延伸方向は同一であり、第２送風経路（２２０）は、前記第１送風経路（２１０）及び第３送風経路（２３０）と延伸方向が垂直をなすことを特徴とする請求項２に記載の多機能加湿電気ヒータ。
【請求項５】
前記揺動羽根（５１０）の長さは、前記揺動羽根（５１０）が前記第２送風経路（２２０）又は第３送風経路（２３０）をブロックする際に、前記揺動羽根（５１０）の前端が前記第１送風経路（２１０）、第２送風経路（２２０）又は第３送風経路（２３０）の内壁に当接するよう設けられることを特徴とする請求項３に記載の多機能加湿電気ヒータ。
【請求項６】
前記風路調節装置（５００）は導風板（５３０）を更に含み、導風板（５３０）は円弧状をなしており、両側がそれぞれ前記揺動羽根（５１０）の回転軸と前記第２送風経路（２２０）又は第３送風経路（２３０）の内壁に接続されることを特徴とする請求項２に記載の多機能加湿電気ヒータ。
【請求項７】
前記風路調節装置（５００）はモータ（５２０）を更に含み、モータ（５２０）の出力軸は前記揺動羽根（５１０）の回転軸に固定接続されることを特徴とする請求項２に記載の多機能加湿電気ヒータ。
【請求項８】
前記加熱装置（４００）は前記第１送風経路（２１０）内に装着されることを特徴とする請求項１に記載の多機能加湿電気ヒータ。
【請求項９】
前記風動装置（３００）は送風ドラム（３１０）とモータ（３２０）を含み、送風ドラム（３１０）は前記モータ（３２０）の出力軸に固定接続されることを特徴とする請求項１に記載の多機能加湿電気ヒータ。
【請求項１０】
前記加湿装置（６００）は、加湿綿（６１０）、水槽（６２０）及びタンク（６３０）を含み、前記加湿綿（６１０）は前記水槽（６２０）内に装着され、前記水槽（６２０）と前記タンク（６３０）が連通することを特徴とする請求項１に記載の多機能加湿電気ヒータ。
【考案の詳細な説明】
【技術分野】
【０００１】
本考案は家電製品の分野に関し、具体的に、多機能加湿電気ヒータに関する。
【背景技術】
【０００２】
現在では、例えば温風機能を備えたスタンド式扇風機（又はタワーファン）や、各種各様のファヒータなど、温風機能を備えたファンが広く用いられている。この種の製品によく見られる構造としては、ハウジングを含み、ハウジングに吸風口及び排風口が設けられている。吸風口と排風口は送風経路を介して連通され、送風経路には、ハウジングに固定装着される送風ファンが設けられている。更に、送風経路内には電熱部材が設けられており、ファンから吸い込まれた風量が電熱部材を経由して加熱されることで温風を形成する。しかし、この種の一般的な温風機能を備えたファンは、風量が電熱部材を経由して加熱されると、風量内の水分が蒸発してしまう。そのため、ファンから外部に送られる温風はほぼ湿度を有さず、たいへん乾燥している。長時間にわたってこのような乾燥した温風を受け続けると、人間はいらつきや不快感を覚えやすく、ひいては疲労感が現れてしまう。
【０００３】
そこで、外部に送られる温風に一定の湿度を持たせるよう、加湿機能を備えたファンヒータが研究・製造されている。しかし、当該構造は機能が単一的であり、具体的ニーズに応じて加湿度合を柔軟に選択することができない。
【考案の概要】
【考案が解決しようとする課題】
【０００４】
本考案が解決しようとする技術的課題は、構造の変化により加湿量を調節可能な多機能加湿電気ヒータを提供することである。
【課題を解決するための手段】
【０００５】
上記の技術的課題を解決すべく、本考案では以下の技術方案を提供する。
【０００６】
多機能加湿電気ヒータであって、ハウジングと加熱装置を含む。ハウジングは第１送風経路を取り囲んでいる。第１送風経路は吸風口と連通し、風動装置が前記第１送風経路内に装着されている。また、第２送風経路と第３送風経路を更に含み、前記第２送風経路と第３送風経路は、一端がいずれも前記第１送風経路と連通するとともに、他端がそれぞれ第１排風口及び第２排風口と連通している。前記第２排風口内には加湿装置が装着されている。前記第１送風経路、第２送風経路及び第３送風経路の交差箇所には、前記第２送風経路と第３送風経路のいずれか一方をブロックして他方の通風を維持するか、双方が共に通風するよう維持する風路調節装置が装着されている。
【０００７】
更に、前記風路調節装置は揺動羽根を含み、揺動羽根は回転軸を介して前記交差箇所にヒンジ接続される。
【０００８】
更に、前記揺動羽根の回転軸は、前記第２送風経路と第３送風経路の交差箇所に設けられる。
【０００９】
更に、前記交差箇所において、前記第１送風経路と第３送風経路の延伸方向は同一であり、第２送風経路は、前記第１送風経路及び第３送風経路と延伸方向が垂直をなす。
【００１０】
更に、前記揺動羽根の長さは、前記揺動羽根が前記第２送風経路又は第３送風経路をブロックする際に、前記揺動羽根の前端が前記第１送風経路、第２送風経路又は第３送風経路の内壁に当接するよう設けられる。
【００１１】
更に、前記風路調節装置は導風板を更に含み、導風板は円弧状をなしており、両側がそれぞれ前記揺動羽根の回転軸と前記第２送風経路又は第３送風経路の内壁に接続される。
【００１２】
更に、前記風路調節装置はモータを更に含み、モータの出力軸は前記揺動羽根の回転軸に固定接続される。
【００１３】
更に、前記加熱装置は前記第１送風経路内に装着される。
【００１４】
更に、前記風動装置は送風ドラムとモータを含み、送風ドラムは前記モータの出力軸に固定接続される。
【００１５】
更に、前記加湿装置は、加湿綿、水槽及びタンクを含み、前記加湿綿は前記水槽内に装着され、前記水槽と前記タンクが連通する。
【考案の効果】
【００１６】
本考案の有益な効果は以下の通りである。
【００１７】
本考案では、前記第２送風経路と第３送風経路のいずれか一方を選択的にブロックして他方の通風を維持するか、双方が共に通風するよう維持する。第３送風経路をブロックし、第２送風経路の通風を維持する場合には、電気ヒータ機能のみを実現可能である。また、第２送風経路をブロックし、第３送風経路の通風を維持する場合には、加湿器機能を実現可能である。第２送風経路と第３送風経路の双方が共に通風するよう維持する場合には、加湿電気ヒータ機能を実現可能である。本考案では、風路を異なる開閉状態に変化させることで、複数の使用機能との目的を達成する。
【図面の簡単な説明】
【００１８】
【図１】図１は、本考案の多機能加湿電気ヒータが機能１の状態の場合の側断面図である。
【図２】図２は、本考案の多機能加湿電気ヒータが機能２の状態の場合の側断面図である。
【図３】図３は、本考案の多機能加湿電気ヒータが機能３の状態の場合の側断面図である。
【図４】図４は、本考案の風路調節装置の好ましい実施例における分解図である。
【図５】図５は、本考案の加熱装置の好ましい実施例における分解図である。
【図６】図６は、本考案の風動装置の好ましい実施例における分解図である。
【図７】図７は、本考案の加湿装置の好ましい実施例における分解図である。
【考案を実施するための形態】
【００１９】
本考案が解決しようとする技術的課題、技術方案及び有益な効果をより明瞭化すべく、以下に、図面と実施例を組み合わせて本考案につき更に詳細に説明する。なお、ここで記載する具体的実施例は本考案を説明するためのものにすぎず、本考案を限定するものではない。
【００２０】
本考案の好ましい実施例である図１を参照する。当該多機能加湿電気ヒータは、ハウジング１００と加熱装置４００を含む。ハウジング１００は第１送風経路２１０を取り囲んでいる。第１送風経路２１０は吸風口１５０と連通し、風動装置３００が前記第１送風経路２１０内に装着されている。また、第２送風経路２２０と第３送風経路２３０を更に含む。前記第２送風経路２２０と第３送風経路２３０は、一端がいずれも前記第１送風経路２１０と連通するとともに、他端がそれぞれ第１排風口１３０及び第２排風口１４０と連通している。前記第２排風口１４０内には加湿装置６００が装着されている。前記第１送風経路２１０、第２送風経路２２０及び第３送風経路２３０の交差箇所には、前記第２送風経路２２０と第３送風経路２３０のいずれか一方をブロックして他方の通風を維持するか、双方が共に通風するよう維持する風路調節装置５００が装着されている。以下に、上記の各構成要素についてそれぞれより詳細に説明する。
【００２１】
本考案では、前記第２送風経路２２０と第３送風経路２３０のいずれか一方を選択的にブロックして他方の通風を維持するか、双方が共に通風するよう維持する。図１に示すように、第３送風経路２３０をブロックし、第２送風経路２２０の通風を維持する場合には、電気ヒータ機能のみを実現可能である。また、図２に示すように、第２送風経路２２０をブロックし、第３送風経路２３０の通風を維持する場合には、加湿器機能を実現可能である。図３に示すように、第２送風経路２２０と第３送風経路２３０の双方が共に通風するよう維持する場合には、加湿電気ヒータ機能を実現可能である。本考案では、風路を異なる開閉状態に変化させることで、複数の使用機能との目的を達成する。
【００２２】
当該多機能加湿電気ヒータは、ハウジング１００、第１送風経路２１０、第２送風経路２２０、第３送風経路２３０、風動装置３００、加熱装置４００、風路調節装置５００及び加湿装置６００を含む。
【００２３】
図４に示すように、前記風路調節装置５００は揺動羽根５１０を含む。揺動羽根５１０は回転軸を介して前記交差箇所にヒンジ接続される。揺動羽根５１０が回動する際に、第２送風経路２２０又は第３送風経路２３０を選択的に封鎖することで、前記第２送風経路２２０と第３送風経路２３０のいずれか一方をブロックして他方の通風を維持することが可能となる。或いは、揺動羽根５１０を中間位置に置くことで、双方が共に通風するよう維持可能となる。
【００２４】
具体的に、前記揺動羽根５１０の回転軸は、前記第２送風経路２２０と第３送風経路２３０の交差箇所に設けられ、揺動羽根５１０が回転軸周りに回動する。本願の好ましい実施例では、前記交差箇所において、前記第１送風経路２１０と第３送風経路２３０の延伸方向は同一である。一方、第２送風経路２２０は、前記第１送風経路２１０及び第３送風経路２３０と延伸方向が垂直をなす。即ち、交差箇所における３つの風路の延伸方向は「┤」型をなすことが可能である。なお、言うまでもなく、本願は３つの風路の具体的延伸方向をこれに限定しない。例えば、本願の他の実施例では、交差箇所における３つの風路の延伸方向は「Ｙ」型をなしてもよい。
【００２５】
前記揺動羽根５１０の長さは、前記揺動羽根５１０が前記第２送風経路２２０又は第３送風経路２３０をブロックする際に、前記揺動羽根５１０の前端が前記第１送風経路２１０、第２送風経路２２０又は第３送風経路２３０の内壁に当接するよう設けられる。即ち、揺動羽根５１０により第２送風経路２２０又は第３送風経路２３０を封鎖するよう設けられる。
【００２６】
前記風路調節装置５００はモータ５２０を更に含む。モータ５２０の出力軸は前記揺動羽根５１０の回転軸に固定接続される。例えば、本願の好ましい実施例において、モータ５２０の出力軸は、揺動ロッド５４０を介して揺動羽根５１０の回転軸に固定接続される。モータ５２０は制御装置（符号は図示しない）に電気的に接続され、制御装置によって揺動羽根５１０の位置を制御可能である。
【００２７】
更に、前記揺動羽根５１０箇所の排風を円滑とし、風抵抗を低下させるとともに、騒音が軽減するよう、風路調節装置５００は導風板５３０を更に含む。導風板５３０は円弧状をなしており、両側がそれぞれ前記揺動羽根５１０の回転軸と前記第２送風経路２２０又は第３送風経路２３０の内壁に接続される。これにより、揺動羽根５１０と第２送風経路２２０又は第３送風経路２３０の内壁との移行が円滑となる。
【００２８】
図１〜図３に示すように、前記加熱装置４００は前記第１送風経路２１０内に装着される。図５に示すように、加熱装置４００は、ＰＴＣヒータ群４１０とＰＴＣブラケット４２０を含む。ＰＴＣヒータ群４１０はＰＴＣブラケット４２０を介して第１送風経路２１０内に装着される。風は第１送風経路２１０内で流動する際に、ＰＴＣヒータ群４１０を通過可能である。
【００２９】
図１〜図３に示すように、前記風動装置３００もまた前記第１送風経路２１０内に装着され、風動装置３００により風が発生する。図６に示すように、前記風動装置３００は、送風ドラム３１０、モータ３２０及びモータブラケット３３０を含む。送風ドラム３１０は前記モータ３２０の出力軸に固定接続され、モータ３２０はモータブラケット３３０を介してハウジング１００に装着される。
【００３０】
図７に示すように、前記加湿装置６００は、加湿綿６１０、水槽６２０及びタンク６３０を含む。前記加湿綿６１０は前記水槽６２０内に装着され、前記水槽６２０と前記タンク６３０が連通する。従来技術と同様に、加湿綿６１０は吸水性材料からなり、加湿綿ケース６４０内に装着されて第３送風経路２３０内に垂直に配置される。これにより、第３送風経路２３０内の風は、加湿綿６１０を通過する際にいっそう多くの水分を保持することになる。タンク６３０は貯水構造をなしており、タンク６３０内の水はスイッチを経由して水槽６２０内に流入する。加湿綿６１０は前記水槽６２０内に装着されるため、水槽６２０から水分を吸収し続け、湿潤を維持可能である。
【００３１】
以上は本考案の好ましい実施例にすぎず、当業者であれば、本考案の思想に基づき、具体的実施形態及び応用の範囲において様々な変形を実施可能である。また、これらの変形は本考案の思想を逸脱しない限り、いずれも本考案の保護の範囲に属する。
【符号の説明】
【００３２】
１００  ハウジング
１１０  ベース
１２０  前ハウジング
１３０  第１排風口
１４０  第２排風口
１５０  吸風口
２１０  第１送風経路
２２０  第２送風経路
２３０  第３送風経路
３００  風動装置
３１０  送風ドラム
３２０  モータ
４００  加熱装置
４１０  ＰＴＣヒータ群
４２０  ＰＴＣブラケット
５００  風路調節装置
５１０  揺動羽根
５２０  モータ
５３０  導風板
５４０  揺動ロッド
６００  加湿装置
６１０  加湿綿
６２０  水槽
６３０  タンク
６４０  加湿綿ケース
【図１】
0003225005.tif 000003
【図２】
0003225005.tif 000004
【図３】
0003225005.tif 000005
【図４】
0003225005.tif 000006
【図５】
0003225005.tif 000007
【図６】
0003225005.tif 000008
【図７】
0003225005.tif 000009